(57)【特許請求の範囲】
【請求項１】
中詰材を充填した布団篭を吊るための、布団篭の吊り装置であって、
複数の吊り線材と、
前記複数の吊り線材の下端側に個別に連結し、相互に独立して揺動可能な、複数の分散支持部材と、を備え、
前記複数の分散支持部材は、それぞれ先端を同一方向に向けて相互に離間して並列した複数の鉤状部を有し、
前記分散支持部材を、布団篭の平行する２本の上縁に掛止可能な位置に配置したことを特徴とする、
吊り装置。
【請求項２】
前記分散支持部材が、前記吊り線材と連結した支持部と、前記複数の鉤状部を前記支持部に対して一体に回動自在に軸支する回動軸と、を備えることを特徴とする、請求項１に記載の吊り装置。
【請求項３】
懸下フレームを備え、前記複数の吊り線材を前記懸下フレームから吊り下げたことを特徴とする、請求項１又は２に記載の吊り装置。
【請求項４】
上端側を前記懸下フレーム又は前記吊り線材と連結し、下端側を前記吊り線材又は前記分散支持部材と連結し、前記分散支持部材に対して上方への引張力を付与可能な、複数の伸縮部材を備えることを特徴とする、請求項３に記載の吊り装置。
【請求項５】
編地からなる略箱型の布団篭であって、中詰材を充填した布団篭と、
前記布団篭の平行する２本の上縁に、前記複数の鉤状部を下方から差し入れて、前記布団篭を吊った、請求項１乃至４のいずれか一項に記載の吊り装置と、を備え、
前記複数の鉤状部によって前記布団篭を上縁で多点支持することによって、前記布団篭の吊り荷重を、側面の編地全体へ分散可能に構成したことを特徴とする、
吊り構造。
【発明の詳細な説明】
【技術分野】
【０００１】
本発明は布団篭の吊り装置、及び布団篭の吊り構造に関し、特に、吊り荷重を上縁で分散支持することで、布団篭の歪み変形を抑制可能な、布団篭の吊り装置、及びこれを用いた布団篭の吊り構造に関する。
【背景技術】
【０００２】
河川や海岸における護岸工事や斜面の補強工事等において、籠体の内部に砕石等の中詰材を詰めた布団篭が使用されている。
近年では、腐食防止や軽量化等の目的のため、従来の鍍金鉄線等を編んでなる鉄線製布団篭に替わり、編地で構成した繊維製の布団篭が普及している。
これらの繊維製布団篭は、現場で内部に中詰材を充填した後、重機で吊り上げ、設置個所に吊り下ろして配置する。詳細には、中詰材の充填前に、布団篭の底面及び側面の網目に繊維製の吊りロープを複数本連通しておき、この吊りロープをクレーンに玉掛けして吊り上げる（特許文献１）。
【先行技術文献】
【特許文献】
【０００３】
【特許文献１】特開２００１−３４８８３３号公報
【発明の概要】
【発明が解決しようとする課題】
【０００４】
従来技術では、布団篭の吊り上げ時、吊り荷重が中詰材内を圧縮力として伝わり、底面の吊りロープ周辺に集中するため、吊りロープが底面に深く食い込んで大きく変形する（図５）。
また、吊りロープの食い込みによって、底面の中央部が持ち上がるため、中詰材が外向きに押し出されて、側面が外側にはらみ出す。このため、型枠によって成形した直方形の形状が崩れて、設置後の布団篭の形状が大きく歪んでしまう。
更に、施工位置に配置する前に吊り上げと転置を繰り返すと、変形が蓄積されることで、最終設置時には形状が大きく崩れ、段積みできなくなるおそれがある。
【０００５】
本発明は、上記のような課題を解決可能な布団篭の吊り装置及び布団篭の吊り構造を提供することを目的とする。
【課題を解決するための手段】
【０００６】
本発明の布団篭の吊り装置は、複数の吊り線材と、複数の吊り線材の下端側に連結した、複数の分散支持部材と、を備え、複数の分散支持部材は、それぞれ先端を同一方向に向けて相互に離間して並列した複数の鉤状部を有し、分散支持部材を、布団篭の平行する２本の上縁に掛止可能な位置に配置したことを特徴とする。
【０００７】
本発明の布団篭の吊り装置は、分散支持部材が、吊り線材と連結した支持部と、複数の鉤状部を支持部に対して一体に回動自在に軸支する回動軸と、を備えていてもよい。
【０００８】
本発明の布団篭の吊り装置は、懸下フレームを備え、複数の吊り線材を懸下フレームから吊り下げてもよい。
【０００９】
本発明の布団篭の吊り装置は、上端側を懸下フレーム又は吊り線材と連結し、下端側を吊り線材又は分散支持部材と連結し、分散支持部材に対して上方への引張力を付与可能な、複数の伸縮部材を備えていてもよい。
【００１０】
本発明の布団篭の吊り構造は、編地からなる略箱型の布団篭であって、中詰材を充填した布団篭と、布団篭の平行する２本の上縁に、複数の鉤状部を下方から差し入れて、布団篭を吊った、吊り装置と、を備え、複数の鉤状部によって布団篭を上縁で多点支持することによって、布団篭の吊り荷重を、側面の編地全体へ分散可能に構成したことを特徴とする。
【発明の効果】
【００１１】
本発明の布団篭の吊り装置及び布団篭の吊り構造は、布団篭の吊り荷重を側面の編地全体に引張力として分散することによって、布団篭の変形を抑制して、直方形の形状を保持することができる。
また、編地への引張力は、布団篭側面のはらみ出しを補正する機能を有するため、布団篭の転置を繰り返しても、変形が蓄積することがない。
更に、布団篭の上縁を複数の分散支持部材の複数の鉤状部で分散して支持することで、吊り荷重の集中による部分的な変形を有効に抑制することができる。
【図面の簡単な説明】
【００１２】
【図１】本発明に係る布団篭の吊り装置及び吊り構造の説明図。
【図２】分散支持部材の説明図。
【図３】実施例２の説明図。
【図４】実施例３の説明図。
【図５】従来技術の説明図。
【発明を実施するための形態】
【００１３】
以下、図面を参照しながら本発明の布団篭の吊り装置及び布団篭の吊り構造について詳細に説明する。なお、吊り装置については、吊り構造の記載の中で説明する。
本発明において「上」「下」「側方」「水平」等の方向性の用語は、吊り装置によって布団篭を吊っている状態における各方位、すなわち図１における各方位を意味する。また、本発明において「吊り」「吊る」等の語は、布団篭を吊って宙に浮かせている状態を指し、吊り上げ作業に伴うものであるか、吊り下ろし作業に伴うものであるかを問わない。
【実施例１】
【００１４】
[吊り構造]
＜１＞全体の構成（図１）。
本発明の布団篭の吊り構造Ａは、布団篭ａと、布団篭ａを吊る吊り装置１と、からなる。
吊り装置１は、クレーン等の重機から吊り下げる。
吊り装置１の複数の分散支持部材３０を、布団篭ａの平行する２本の上縁ａ４に掛けることで、布団篭ａを多点で吊る。
【００１５】
＜２＞布団篭。
布団篭ａは、編地からなる土木資材である。
本例の布団篭ａは、それぞれの編地である、蓋面ａ１、底面ａ２、及び４つの側面ａ３からなる略箱型の形状を呈する。
詳細には、例えばループ状に編んだ太めのストランドを上下に配してこれを側面ａ３の上縁ａ４及び下縁とし、上縁ａ４と下縁の間を細めのストランドからなる無結節の編地で連結して側面ａ３を構成し、上縁ａ４のループ内に矩形の編地を連結して蓋面ａ１を構成し、下縁のループ内に矩形の編地を連結して底面ａ２を構成する。
本例では、布団篭ａを構成する編地としてポリエステル繊維網を採用する。ただしこれに限らず、ポリエチレン繊維他いかなる素材であってもよい。
また、布団篭ａは繊維製に限らず、鉄線製布団篭を採用してもよい。
中詰材ｂは、砕石、自然石、コンクリートガラなどから用途に応じて任意に選択することができる。
【００１６】
＜３＞吊り装置。
吊り装置１は、中詰材ｂを充填した布団篭ａを吊る装置である。
吊り装置１は、複数の吊り線材２０と、複数の吊り線材２０の下端側に連結した複数の分散支持部材３０と、を少なくとも備える。
本例では、吊り装置１が、懸下フレーム１０を備え、複数の吊り線材２０を懸下フレーム１０から吊り下げている。
吊り線材２０は、懸下フレーム１０の両側辺から各４本、合計８本吊り下げ、各吊り線材２０の下端に合計８個の分散支持部材３０を連結する。
分散支持部材３０の個数はこれに限らないが、吊り装置１を布団篭ａの上方に配置した状態において、分散支持部材３０を、布団篭ａの平行する２本の上縁ａ４にそれぞれ少なくとも２個ずつ掛止できるように、合計で最低４個設ける。
【００１７】
＜３．１＞懸下フレーム。
懸下フレーム１０は、複数の吊り線材２０を所定の間隔で一括して吊り下げる部材である。
本例では懸下フレーム１０として、鋼材を組んでなる平面視矩形の枠状体を採用する。ただし懸下フレーム１０の構造は上記に限らず、例えば板状体、格子状体、鋼材をＸ字状に組んだ構造などを採用してもよい。
懸下フレーム１０の上面には、クレーン等の重機によって吊り上げるための、１つ又は複数の取り付け具を付設する。
なお、懸下フレーム１０を用いず、複数の吊り線材２０を重機から直接吊り下げてもよい。
【００１８】
＜３．２＞吊り線材。
吊り線材２０は、分散支持部材３０を吊り下げる部材である。
本例では吊り線材２０として金属チェーンを採用する。この他ワイヤロープ、繊維製ロープ等を採用してもよい。
吊り線材２０の上端は懸下フレーム１０と連結し、下端は分散支持部材３０と連結する。
【００１９】
＜３．３＞分散支持部材（図２）。
分散支持部材３０は、布団篭ａの吊り荷重を複数の点に分散して支持する部材である。
分散支持部材３０は、吊り線材２０と連結する支持部３１と、支持部３１に付設した複数の鉤状部３２と、を少なくとも備える。
複数の鉤状部３２は、相互に離間して配列し、先端が同一方向を向く。
本例では分散支持部材３０として、吊り線材２０と連結するための連結孔を有する平板状の支持部３１と、支持部３１の下部に水平方向に軸支した回動軸３３と、回動軸３３の下部に固定した４本の鉤状部３２と、の組み合わせを採用する（図２（ａ））。
４本の鉤状部３２は、回動軸３３を中心に支持部３１に対して前後方向に回動自在であるため、布団篭ａの上縁ａ４への取り付けが容易である。
ただし分散支持部材３０の構造はこれに限らず、例えば回動軸３３が４本の鉤状部３２を側面から連通し、各鉤状部３２が相互に独立して回動可能な構造（図２（ｂ））や、回動軸３３を備えず、４本の鉤状部３２を支持部３１の下部に直接固定した構造（図２（ｃ））等を採用してもよい。
要は複数の鉤状部３２によって、布団篭ａの上縁ａ４を分担できる構造であればよい。
なお、分散支持部材３０は、４本の鉤状部３２が同期して回動する構造（図２（ａ））が最も作業性が高い。
【００２０】
＜４＞布団篭の変形抑制機能。
本発明の布団篭の吊り構造Ａは、以下の（ａ）〜（ｃ）の機能の組み合わせによって、吊り上げ／吊り下ろしによる布団篭ａの変形やはらみ出しを、効果的に抑制することができる。
（ａ）分散支持部材３０を上縁ａ４に掛けて吊ることで、布団篭ａの吊り荷重が、側面ａ３の編地全体に対する引張力として分散して伝達されるため、布団篭ａが部分的に変形しにくい。また、編地による引張力は、中詰材ｂによる側面ａ３のはらみ出しを補正する方向に働くため、布団篭ａの転置を繰り返しても、変形が蓄積することがない。
（ｂ）平行する２本の上縁ａ４を、複数の分散支持部材３０で分担支持することで、布団篭ａの変形量を側面ａ３の編地全体に分散することができる。
（ｃ）さらに各分散支持部材３０が、それぞれ複数の鉤状部３２で上縁ａ４を多点支持するため、変形量の分散効果が相乗される。例えば本例の場合、８個の分散支持部材３０がそれぞれ４本の鉤状部３２を備えるため、布団篭ａの吊り荷重を、８×４＝３２点に分散することができる。
【実施例２】
【００２１】
[伸縮部材を備える実施例]
本例では、吊り装置１が複数の伸縮部材４０を備える（図３）。
伸縮部材４０は、分散支持部材３０へ上方への引張力を付与する伸縮自在の部材である。
本例では伸縮部材４０として、懸下フレーム１０と各分散支持部材３０を連結した各２本、計１６本のゴムロープを採用する。
ゴムロープは、分散支持部材３０の鉤状部３２を上縁ａ４に係止する前の状態において、分散支持部材３０を上方に引き上げて吊り線材２０に弛みを付与でき、かつ吊り装置１による布団篭ａの吊り上げ時に破断しない程度の長さと弾力の組み合わせとする。
ただし伸縮部材４０はゴムロープに限らず、引張コイルスプリングや、その他の伸縮性の部材や構造であってもよい。また、伸縮部材４０は、懸下フレーム１０と分散支持部材３０を直接連結する他、懸下フレーム１０と吊り線材２０、吊り線材２０の上部と下部、又は吊り線材２０と分散支持部材３０とを連結してもよい。
また、伸縮部材４０の本数も各２本に限らず、例えば、分散支持部材３０に対して各１本、計８本でもよい。
吊り装置１を布団篭ａに取り付ける作業では、吊り線材２０が弛んだ状態で分散支持部材３０の鉤状部３２を上縁ａ４の網目に掛け、その後、懸下フレーム１０を持ち上げて、布団篭ａを吊り上げる。
しかし、鉤状部３２は下方から網目に通しているだけなので、吊り線材２０が伸びきる前に、鉤状部３２が網目から外れるおそれがある。
これに対し本例では、吊り線材２０が弛んだ状態であっても、伸縮部材４０が分散支持部材３０を上方に引き上げることで、分散支持部材３０の鉤状部３２が常に網目に食い込み、鉤状部３２が網目から外れるのを防ぐことができる。
【実施例３】
【００２２】
[長尺の分散支持部材を備える実施例]
本例では、分散支持部材３０として、長尺の支持部３１と、支持部３１の下部に分散配置した複数の鉤状部３２との組み合わせを採用する（図４）。
１本の支持部３１を、複数の吊り線材２０で吊り下げる。
本例では、分散支持部材３０を布団篭ａの各上縁ａ４に一つずつ取付ける。
本例の場合、各上縁ａ４を支持する複数の鉤状部３２が相互に固定されているため、吊り上げ時の布団篭ａの安定性を更に高めることができる。
【符号の説明】
【００２３】
１  吊り装置
１０  懸下フレーム
２０  吊り線材
３０  分散支持部材
３１  支持部
３２  鉤状部
３３  回動軸
４０  伸縮部材
Ａ  吊り構造
ａ  布団篭
ａ１  蓋面
ａ２  底面
ａ３  側面
ａ４  上縁
ｂ  中詰材
【要約】
【課題】吊り荷重を上縁で分散支持することで布団篭の歪み変形を抑制可能な布団篭の吊り装置及び布団篭の吊り構造を提供すること。
【解決手段】本発明の布団篭の吊り装置１は、複数の吊り線材２０と、複数の吊り線材２０の下端側に連結した複数の分散支持部材３０と、を備え、複数の分散支持部材３０は、それぞれ先端を同一方向に向けて相互に離間して並列した複数の鉤状部３２を有し、分散支持部材３０を、布団篭ａの平行する２本の上縁ａ４に掛止可能な位置に配置したことを特徴とする。本発明の布団篭の吊り構造Ａは、編地からなる略箱型の布団篭ａであって中詰材ｂを充填した布団篭ａと、布団篭ａの平行する２本の上縁ａ４に複数の鉤状部３２を下方から差し入れて布団篭ａを吊った吊り装置１と、を備え、複数の鉤状部３２によって布団篭ａを上縁ａ４で多点支持することによって、布団篭ａの吊り荷重を側面の編地全体へ分散可能に構成したことを特徴とする。
【選択図】図１【図１】
0006771688.tif 000002
【図２】
0006771688.tif 000003
【図３】
0006771688.tif 000004
【図４】
0006771688.tif 000005
【図５】
0006771688.tif 000006